(57)【要約】【課題】ボックス本体の開口部を開閉可能なリッドの表面側に配置されるケース部材に操作部材が手動操作を可能として配設されて成る操作ユニットと、前記ケース部材の背面に連結されて前記リッドに固定されるベース部材に前記操作部材の手動操作に応じて作動する作動部材が配設される作動ユニットとを備えるグローブボックス装置において、操作ユニットおよび作動ユニットのリッドへの取付けを容易とする。【解決手段】ケース部材５２が、リッド２３に設けられる取付け孔６９を表面側から閉塞するようにしてリッド２３に係合、固定され、ベース部材５３が、リッド２３の背面側からケース部材５２に係合、連結されるとともにリッド２３の背面に締結される。【選択図】        図９
2004238807.tif 000002
【特許請求の範囲】
【請求項１】
ボックス本体（２２）の開口部を開閉可能なリッド（２３）の表面側に配置されるケース部材（５２）に操作部材（３０）が手動操作を可能として配設されて成る操作ユニット（５０）と；前記ケース部材（５２）の背面に連結されて前記リッド（２３）に固定されるベース部材（５３）に、前記操作部材（３０）の手動操作に応じて作動する作動部材（５４）が配設される作動ユニット（５１）と：を備えるグローブボックス装置において、前記ケース部材（５２）が、前記リッド（２３）に設けられる取付け孔（６９）を表面側から閉塞するようにして前記リッド（２３）に係合、固定され、前記ベース部材（５３）が、前記リッド（２３）の背面側から前記ケース部材（５２）に係合、連結されるとともに前記リッド（２３）の背面に締結されることを特徴とするグローブボックス装置。
【請求項２】
前記ケース部材（５２）に前記ベース部材（５３）を係合、連結して前記操作ユニット（５０）に前記作動ユニット（５１）を組付けるのに応じて前記作動部材（５４）に係合可能な係合部（７７）が、前記操作部材（３０）に設けられることを特徴とする請求項１記載のグローブボックス装置。
【発明の詳細な説明】
【０００１】
【発明の属する技術分野】
本発明は、ボックス本体の開口部を開閉可能なリッドの表面側に配置されるケース部材に操作部材が手動操作を可能として配設されて成る操作ユニットと；前記ケース部材の背面に連結されて前記リッドに固定されるベース部材に、前記操作部材の手動操作に応じて作動する作動部材が配設される作動ユニットと：を備えるグローブボックス装置に関する。
【０００２】
【従来の技術】
従来、かかるグローブボックス装置は、たとえば下記特許文献１等により既に知られている。
【０００３】
【特許文献１】
特開平７−１３３６８５号公報
【０００４】
【発明が解決しようとする課題】
上記従来のものでは、リッドの表面側に設けられる凹部に、相互に組付けられた操作ユニットおよび作動ユニットを収容した状態で、リッドの背面側から該リッドおよびベース部材に挿通されたねじ部材をケース部材に螺合して締めつけることにより、操作ユニットおよび作動ユニットをリッドに取付けるようにしている。
【０００５】
ところが、上記従来のものでは、リッドの背面側でのねじ部材の締めつけによる取付け時に、操作ユニットおよび作動ユニットをリッドの背面側から視認することはできず、操作ユニットおよび作動ユニットを凹部内の所定位置に保持しつつ、ねじ部材による締めつけ作業を行わねばならないので、取付け作業が煩雑となる。
【０００６】
本発明は、かかる事情に鑑みてなされたものであり、操作ユニットおよび作動ユニットのリッドへの取付けを容易としたグローブボックス装置を提供することを目的とする。
【０００７】
【課題を解決するための手段】
上記目的を達成するために、請求項１記載の発明は、ボックス本体の開口部を開閉可能なリッドの表面側に配置されるケース部材に操作部材が手動操作を可能として配設されて成る操作ユニットと；前記ケース部材の背面に連結されて前記リッドに固定されるベース部材に、前記操作部材の手動操作に応じて作動する作動部材が配設される作動ユニットと：を備えるグローブボックス装置において、前記ケース部材が、前記リッドに設けられる取付け孔を表面側から閉塞するようにして前記リッドに係合、固定され、前記ベース部材が、前記リッドの背面側から前記ケース部材に係合、連結されるとともに前記リッドの背面に締結されることを特徴とする。
【０００８】
このような請求項１記載の発明の構成によれば、ケース部材をリッドに係合するようにして操作ユニットをリッドに先ず仮固定した状態で、リッドの背面側からベース部材をケース部材に係合、連結するとともにリッドに締結することにより、ベース部材のケース部材への連結と、ケース部材およびベース部材のリッドへの固定とが完了するので、操作ユニットおよび作動ユニットの相互組付け操作およびリッドへの取付け操作をリッドの背面側で行うことができ、操作ユニットおよび作動ユニットのリッドへの取付けを容易とすることができる。
【０００９】
また請求項２記載の発明は、上記請求項１記載の発明の構成に加えて、前記ケース部材に前記ベース部材を係合、連結して前記操作ユニットに前記作動ユニットを組付けるのに応じて前記作動部材に係合可能な係合部が、前記操作部材に設けられることを特徴とし、かかる構成によれば、ケース部材へのベース部材の係合、連結に応じて操作部材を作動部材に係合、連結することができ、操作ユニットおよび作動ユニットの相互組付けをより一層容易とすることができる。
【００１０】
【発明の実施の形態】
以下、本発明の実施の形態を、添付の図面に示した本発明の一実施例に基づいて説明する。
【００１１】
図１〜図１２は本発明の一実施例を示すものであり、図１はグローブボックスの正面図、図２はロック機構をリッドの背面側から見た図、図３は図２の３−３線断面図、図４は図２の４−４線断面図、図５は図２の５−５線断面図、図６はシリンダ錠の解錠状態でのロック切換操作機構をリッドの正面側から見た図、図７は図６の７矢視図、図８は図７の８矢視図、図９は図６の９−９線断面図、図１０は図６の１０−１０線断面図、図１１は操作ユニットおよび作動ユニットを相互に組付ける前の状態を図６の１１−１１線に沿って示す断面図、図１２は操作ユニットおよび作動ユニットを相互に組付ける前の図９に対応した断面図である。
【００１２】
先ず図１において、たとえば左ハンドルである乗用車両の車室内前部に配置されるインストルメントパネル２１に、該インストルメントパネル２１と一体であるボックス本体２２と、水平軸線まわりに上下に回動するようにしてボックス本体２２の開口部を開閉可能なリッド２３とで構成されるグローブボックス２４が、助手席２５の前方に位置するようにして設けられる。
【００１３】
合成樹脂から成るリッド２３には、該リッド２３の閉鎖状態を維持するロック状態ならびにリッド２３の開放を許容するアンロック状態を切換えるロック機構２６と、シリンダ錠２９および操作部材としての操作ノブ３０を備えるロック切換操作機構２７とが相互に離隔して設けられ、前記シリンダ錠２９の解錠状態での操作ノブ３０の操作に応じて前記ロック機構２６をロック状態からアンロック状態に切換えるための操作力を伝達する連結部材であるロッド２８が前記ロック切換操作機構２７およびロック機構２６間に設けられる。
【００１４】
図２〜図５を併せて参照して、ロック機構２６は、リッド２３内に収納、固定される金属たとえば亜鉛合金製のボディ３１と、ボックス本体２２側に設けられるストライカ３２と、該ストライカ３２に係合し得るラッチ３３と、ストライカ３２に係合して前記ラッチ３３が回動するように該ラッチ３３を回動可能に支承して前記ボディ３１に装着される第１支軸３４と、前記ボディ３１および前記ラッチ３３間に設けられる第１ばね３５と、ストライカ３２に係合したラッチ３３に係合して該ラッチ３３の回動を阻止する係合位置（図５で示す位置）ならびに前記ラッチ３３との係合を解除して該ラッチ３３の回動を許容する係合解除位置間での直線的な移動を可能として前記ボディ３１に装着される鋼板製のスライダ３６と、該スライダ３６およびボディ３１間に設けられる第２ばね３７とを備える。
【００１５】
ラッチ３３の上部には、ボディ３１内に進入してきたスライカ３２を係合させる係合溝３８が設けられており、ラッチ３３が開放位置にある状態でリッド２３を閉じ側に操作すると、ストライカ３２でラッチ３３が図４で示す閉鎖位置まで回動してストライカ３２が係合溝３８に係合することになり、この状態でラッチ３３の回動が阻止されることにより、リッド２３が閉鎖状態でロックされる。
【００１６】
第１ばね３５の一端はボディ３１に係合され、ラッチ３３に設けられた係合孔３９に第１ばね３５の他端が係合される。この第１ばね３５は、ラッチ３３を前記開放位置側すなわち図４の時計方向に回動付勢するばね力を発揮するものであり、ボディ３１には、ラッチ３３の開放位置側への回動端を規制すべくラッチ３３に当接可能な規制壁４０が設けられる。
【００１７】
またゴム製のストッパ４１，４１が、前記ラッチ３３の左右両側でボディ３１の背面側に装着されており、ボディ３１内に進入してくるストライカ３２が該ストッパ４１，４１に当接することにより、ストライカ３２がボディ３１に衝撃的に接触することが防止される。
【００１８】
スライダ３６は、第１支軸３４の軸線と平行な方向に長く延びてボディ３１の背面側でラッチ３３の下方位置に配置されるものであり、該スライダ３６は、ストライカ３２に係合して閉鎖位置にある前記ラッチ３３に係合して該ラッチ３３の開放位置側への回動を阻止する係合位置（図２〜図５で示す位置）と、閉鎖位置にある前記ラッチ３３との係合を解除して該ラッチ３３の回動を許容する係合解除位置（図２および図３の右方位置）間で、第１支軸３４の軸線と平行な方向すなわち長手方向での直線的な移動を可能とするものである。
【００１９】
このスライダ３６の一端には連結孔４２が設けられており、該連結孔４２に弾発係合するようにしてホルダ４３がスライダ３６の一端に装着される。しかもホルダ４３には、一端がロック切換操作機構２７側に連結されるロッド２８の他端部が係合、保持されており、ロック機構２６をロック解除状態とするための操作力がロック切換操作機構２７からロッド２８を介してスライダ３６の一端に伝達されることになる。
【００２０】
スライダ３６は、相互に平行な平板状の第１〜第３摺動板部３６ａ，３６ｂ，３６ｃと、第１および第２摺動板部３６ａ，３６ｂ間を略直角に結ぶ第１連結板部３６ｄと、第２および第３摺動板部３６ｂ，３６ｃ間を略直角に結ぶ第２連結板部３６ｅとを一体に有するように、金属帯板を屈曲して形成されるものであり、第１摺動板部３６ａの一端にロッド２８がホルダ４３を介して連結され、第３摺動板部３６ｃがラッチ３３に係合可能である。
【００２１】
一方、ボディ３１の背面には、スライダ３６をスライド可能に嵌合せしめるスライド溝４４が設けられており、このスライド溝４４には、ボディ３１のロック切換操作機構２７側側面に一端を配置した平面状の第１スライド面４４ａと、第１スライド面４４ａと平行な平面状の第２スライド面４４ｂと、第１および第２スライド面４４ａ，４４ｂと平行な平面状の第３スライド面４４ｃとが相互間に段差をなすようにして形成されており、スライダ３６における第１摺動板部３６の一面が第１スライド面４４ａに摺接され、第２摺動板部３６ｂの一端部一面が第２スライド面４４ｂに摺接され、第３摺動板部３６ｃの一面が第３スライド面４４ｃに摺接される。
【００２２】
またスライド溝４４には、スライダ３６における第１連結板部３６ｄに対向するようにして第１スライド面４４ａの他端および第２スライド面４４ｂの一端間を結ぶ第１規制面４４ｄと、第２連結板部３６ｅに対向するようにして第２スライド面４４ｂの他端および第３スライド面４４ｃの一端間を結ぶばね受け面４４ｅと、スライダ３６の他端すなわち第３摺動板部３６ｃの他端に対向する第２規制面４４ｆとが形成される。
【００２３】
スライダ３６における第１摺動板部３６ａの一端部はボディ３１から突出しており、第１スライド面４４ａから離隔した位置で第１摺動板部３６ａのボディ３１からの突出部の他面に摺接するガイド部４５がボディ３１に一体に設けられ、スライダ３６における第２摺動板部３６ｂの他面に摺接する平板状のカバー４６がボディ３１にかしめ結合される。
【００２４】
スライダ３６の第２連結板部３６ｅとスライド溝４４におけるばね受け面４４ｅとの間に第２ばね３７が設けられており、スライダ３６は、その第２ばね３７のばね力により係合位置側すなわちロッド２８を牽引する側に付勢され、スライダ３６が第２規制面４４ｆに当接した係合位置で第３摺動板部３６ｃがラッチ３３に係合することになる。またロッド２８からスライダ３６に牽引力が作用したときにスライダ３６が第２ばね３７のばね力に抗して係合解除位置側に移動することで第３摺動板部３６ｃおよびラッチ３３の係合が解除されることになり、この際の係合解除位置側へのスライダ３６の移動端は、第１規制面４４ｄに第１連結板部３６ｄが当接することで規制される。
【００２５】
図６〜図１２において、ロック切換操作機構２７は、シリンダ錠２９と、リッド２３の表面側に配置される操作ユニット５０と、該操作ユニット５０に組付けられてリッド２３の背面側に配置される作動ユニット５１とで構成される。
【００２６】
操作ユニット５０は、リッド２３に取付けられる合成樹脂製のケース部材５２に操作ノブ３０が手動操作を可能として配設されて成る。また作動ユニット５１は、リッド２３の背面側に配置されて前記ケース部材５２に連結される金属製のベース部材５３に、前記操作ノブ３０の操作に応じて作動することによってロック解除状態とするための操作力を前記ロッド２８に付与する作動部材としてのレバー５４が配設されて成るものであり、シリンダ錠２９は解錠時に操作ノブ３０の手動操作を許容するようにして前記ベース部材５３に取付けられる。
【００２７】
ケース部材５２は、４つの角部を彎曲させて横方向に長い略長方形状の横断面形状を有した短筒状に形成される枠部５２ａと、該枠部５２ａの外端全周から外側方に張出す鍔部５２ｂと、前記枠部５２ａの外端側中間開口部を閉じるようにして枠部５２ａの外端側中間部上下に連設される表板部５２ｃと、該表板部５２ｃに対応した矩形の挿入孔５５を相互間に形成するようにして前記枠部５２ａの内端部における長手方向両端部に連設される第１および第２裏板部５２ｄ，５２ｅと、前記表板部５２ｃの横方向一側端（図９の左側端）および第１裏板部５２ｄ間を結ぶようにして前記枠部５２ａ、表板部５２ｃおよび第１裏板部５２ｄに連設される閉塞板部５２ｆとを一体に有して合成樹脂により形成される。
【００２８】
このようなケース部材５２において前記表板部５２ｃの両側には、内端部を閉じた袋孔状の第１凹部５６と、表板部５２ｃの内方に通じた第２凹部５７とが形成される。
【００２９】
操作ノブ３０は、表面側を閉じた略Ｕ字状の横断面形状を有して合成樹脂により形成されるものであり、その一部を第２凹部５７に臨ませて、ケース部材５２の表板部５２ｃと、前記挿入孔５５のうち第２裏板部５２ｅ側の部分を塞ぐ閉塞板部５８ａを有してケース部材５２に装着される合成樹脂製のガイド部材５８との間にスライド可能に挿入される。
【００３０】
ガイド部材５８は、ケース部材５２における第２裏板部５２ｅの内面にほぼ面一に連なる閉塞板部５８ａと、ケース部材５２における枠部５２ａの上部および下部側壁に内側から対向するようにして閉塞板部５８ａに直角に連なる一対の側壁部５８ｂ，５８ｂとを有して、略Ｕ字状の横断面形状を有するように形成されており、前記両側壁部５８ｂ，５８ｂの外面にたとえば一対ずつ一体に突設される係合爪５９，５９…を、ケース部材５２における枠部５２ａの上部および下部側壁にたとえば一対ずつ設けられる係合孔６０，６０…に弾発係合することで、ケース部材５２に装着される。
【００３１】
ケース部材５２における表板部５２ｃの内面には、横方向に延びる一対のガイド突部６１，６１が操作ノブ３０に摺接するようにして一体に突設される。また操作ノブ３０には、前記両ガイド突部６１…の外側に配置される規制突部６２，６２が一体に突設され、ガイド部材５８の閉塞板部５８ａには、操作ノブ３０の上下両側内面に対向するようにして操作ノブ３０内に突入される規制壁６３，６３が一体に突設されており、ガイド部材５８の両側壁部５８ｂ…および前記両規制壁６３…間で前記閉塞板部５８ａの内面に摺接する突部６４，６４が操作ノブ３０の両側に一体に突設される。したがって操作ノブ３０は、前記両規制突部６２…および両規制壁６３…でスライド方向を規制されつつ表板部５２ｃの両ガイド突部６１…およびガイド部材５８の閉塞板部５８ａに摺接しながらスライドすることになる。
【００３２】
またガイド部材５８の閉塞板部５８ａには、操作ノブ３０内に突入するばね受け板部６５が一体に突設されており、このばね受け板部６５に一体に設けられる軸部６６に一端部を嵌装するコイル状の第３ばね６７の一端がばね受け板部６５で受けられ、第３ばね６７の他端が操作ノブ３０に当接される。而して操作ノブ３０は、第３ばね６７のばね力により、その一部を第２凹部５７に突出させた非操作位置（図１および図９で示す位置）側に向けてばね付勢されることになり、非操作位置側での操作ノブ３０の移動端は、表板部５２ｃの第２凹部５７側端部内面に設けられるストッパ６８に前記両規制突部６２…が当接することによって規制される。
【００３３】
而して、操作ノブ３０を手動操作するにあたっては、第３ばね６７のばね力に抗して操作ノブ３０を押し込めばよく、たとえば第１凹部５６に挿入して閉塞板部５２ｆに接触させた右手の親指と、第２凹部５７に挿入して操作ノブ３０に接触させた右手の人指し指を相互に近接させるように動かせば、シリンダ錠２９の解錠状態で操作ノブ３０は非操作位置から表板部５２ｃ内の操作位置へとスライドすることになる。
【００３４】
ところでリッド２３には、前記ケース部材５２における前記枠部５２ａの外面形状に対応した形状を有する取付け孔６９が、前記ケース部材５２の枠部５２ａを挿入するようにして設けられるとともに、前記ケース部材５２における鍔部５２ｂを受ける支持板部７０が、リッド２３の表面からわずかに凹むとともに前記取付け孔６９を囲むようにして設けられる。
【００３５】
一方、ケース部材５２における枠部５２ａの長手方向両端部外面には、前記支持板部７０の内面に係合する係合爪７１，７１…が一対ずつ突設されており、ケース部材５２は、鍔部５２ｂを支持板部７０に表面側から当接させるとともに前記係合爪７１，７１…を支持板部７１の内面に係合させることにより、リッド２３に係合される。すなわちケース部材５２は、取付け孔６９を表面側から閉塞するようにして該取付け孔６９の周縁部でリッド２３に係合、固定されることになる。
【００３６】
作動ユニット５１のレバー５４は、上下方向に直線状に延びており、該レバー５４の下端部は前記ベース部材５３に回動可能に支承され、レバー５４およびベース部材５３間には第４ばね７２が設けられる。
【００３７】
レバー５４は、ベース部材５３に関してケース部材５２とは反対側に配置されており、ベース部材５３の下部にはレバー５４の下部を回動可能に支承するための第２支軸７３が突設される。この第２支軸７３は、レバー５４の下部一面を受ける環状の段部７３ａと、レバー５４の下部に挿通されるようにして前記段部７３ａから突出する小径軸部７３ｂとを備えており、レバー５４は、前記段部７３ａと、レバー５４の他面に摺接、係合するようにして小径軸部７３ｂに装着される止め輪７４との間に挟まれつつ、前記小径軸部７３ｂで回動可能に支承される。
【００３８】
前記レバー５４の上下方向中間部には操作ユニット５０側に突出する当接突部５４ａが一体に設けられており、ベース部材５３と、操作ユニット５０におけるガイド部材５８の閉塞板部５８ａとに相互に対応して設けられる挿通孔７５，７６に前記当接突部５４ａが挿通される。しかも当接突部５４ａの先端部は操作ユニット５０の操作ノブ３０内に突入されており、操作ノブ３０には、該操作ノブ３０を非操作位置から押し込んだときに前記当接突部５４ａに係合、当接する係合部７７が設けられる。
【００３９】
また前記挿通孔７５よりも上方でベース部材５３にはレバー５４の上部一面に摺接する摺接支持面７８が形成されており、レバー５４は、第２支軸７３の段部７３ａおよび前記摺接支持面７８と、レバー５４の他面に一部を摺接させるようにしてベース部材５３に取付けられる合成樹脂製の摺動ガイド部材７９との間に挟まれて回動することになる。
【００４０】
第４ばね７２は、第２支軸７３を囲繞するように配置されるねじりばねであり、ベース部材５３およびレバー５４間に設けられ、この第４ばね７２のばね力によってレバー５４は当接突部５４ａを操作ノブ３０の係合部７７に係合、当接させる方向に回動付勢される。しかも第４ばね７２による回動付勢方向へのレバー５４の回動端は、ベース部材５３に突設された軸８０に装着された弾性ストッパ８１にレバー５４が当接することによって規制される。
【００４１】
レバー５４が弾性ストッパ８１に当接した状態では、レバー５４の当接突部５４ａは非操作位置にある操作ノブ３０の係合部７７には当接しておらず、操作ノブ３０を非操作位置から押し込み操作することで当接突部５４ａに係合部７７が係合、当接し、レバー５４が第４ばね７２のばね力に抗して弾性ストッパ８１から離反するように回動することになる。
【００４２】
レバー５４の上端部には連結孔８２が設けられており、該連結孔８２に弾発係合するようにしてホルダ８３がレバー５４の上端部に装着される。しかもホルダ８３には、ロッド２８の一端部が係合、保持されており、ロック機構２６をロック解除状態とするための操作力がレバー５４からロッド２８に伝達されることになる。
【００４３】
またベース部材５３には、操作ユニット５０側に延びる装着筒部８４が一体に設けられており、この装着筒部８４は、操作ユニット５０のケース部材５２内に前記挿入孔５５を貫通して突入される。シリンダ錠２９は装着筒部８４に装着されるものであり、装着筒部８４の外周には、該装着筒部８４に両端を突入させ得る略Ｃ字状の弾性係合部材８５が装着され、装着筒部８５内にシリンダ錠２９を挿入することでシリンダ錠２９の外周に前記弾性係合部材８５の両端が係合することにより、シリンダ錠２９が装着筒部８４に装着されることになる。
【００４４】
一方、ケース部材５２の表板部５２ｃには前記装着筒部８４に対応した挿入孔８８が設けられており、シリンダ錠２９は、操作ユニット５０および作動ユニット５１が相互に組付けられた後で、前記挿入孔８８から装着筒部８４に挿入されることで装着筒部８４に装着される。而して装着筒部８４への装着状態で装着筒部８４から前端部を突出させるロータ８６をシリンダ錠２９は備えており、キー孔８７が設けられるロータ８６の前端は、操作ユニット５０側から前記キー孔８７にキーを差し込むことを可能とすべく、前記挿入孔８８に臨む。しかも装着筒部８４から突出した前記ロータ８６の外周の一部には、挿入孔８８から前記キー挿入孔８７に挿入した正規のキーで解錠操作したときのロータ８６の回動に伴って操作ノブ３０側に臨む溝８９が設けられる。
【００４５】
したがってシリンダ錠２９の解錠状態では、操作ノブ３０を、その一部が前記溝８９に嵌入する操作位置まで非操作位置から操作することが可能であり、この操作ノブ３０の操作に応じてレバー５４が回動駆動される。一方、シリンダ錠２９の施錠状態では前記溝８９は操作ノブ３０に臨む側から９０度回動した位置にあり、この状態では、操作ノブ３０を非操作位置から操作してもロータ８６の前端部外周に当接するので操作ノブ３０をレバー５４を回動駆動する位置まで操作することは不能となる。
【００４６】
ケース部材５２およびベース部材５３の相対位置を定めるために、ケース部材５２における第１裏板部５２ｄには弾発的に縮径可能な位置決め突部９０が一体に突設され、ケース部材５２における第２裏板部５２ｅには弾発的に縮径可能な一対の位置決め突部９０，９０が一体に突設され、ベース部材５３には前記各位置決め突部９０…を弾発嵌合せしめる有底の位置決め穴９１…が設けられる。
【００４７】
またケース部材５２における第１および第２裏板部５２ｄ，５２ｅには、ベース部材５３の上下両側面を対向させる支持板９２，９２…が一対ずつ突設されており、それらの支持板９２，９２…に設けられた係合孔９３，９３…に、前記ベース部材５３の上下両側面に突設される係合爪９４，９４…を係合させることにより、ベース部材５３が、リッド２３の背面側から操作ユニット５０のケース部材５２に係合、連結されることになる。
【００４８】
さらにベース部材５３には、相互に間隔をあけた位置で外側方に張り出す複数たとえば３つの取付け板部９５，９６，９７が一体に設けられており、これらの取付け板部９５〜９７は、ねじ部材９８…によりリッド２３の背面に締結される。すなわちベース部材５３は、リッド２３の背面側からケース部材５２に係合、連結されるとともにリッド２３の背面に締結される。
【００４９】
次にこの実施例の作用について説明すると、リッド２３のロックおよびアンロック状態を切換えるためのロック切換操作機構２７は、リッド２３の表面側に配置されるケース部材５２に操作ノブ３０が手動操作を可能として配設されて成る操作ユニット５０と、ケース部材５２の背面に連結されてリッド２３に固定されるベース部材５３に操作ノブ３０の操作に応動するレバー５４が配設される作動ユニット５１とを備えるものであるが、操作ユニット５０のケース部材５２は、図１１および図１２で示すように、リッド２３に設けられる取付け孔６９を表面側から閉塞するようにして該取付け孔６９の周縁部の複数箇所でリッド２３に係合、固定されるものであり、また作動ユニット５１のベース部材５３は、リッド２３の背面側からケース部材５２に係合、連結されるとともにリッド２３の背面に締結されるものである。
【００５０】
したがってケース部材５２をリッド２３に係合するようにして操作ユニット５０をリッド２３に先ず仮固定した状態で、リッド２３の背面側からベース部材５３をケース部材５２に係合、連結するとともにリッド２３に締結することにより、ベース部材５３のケース部材５２への連結と、ケース部材５２およびベース部材５３のリッド２３への固定とが完了することになり、操作ユニット５０および作動ユニット５１の相互組付け操作およびリッド２３への取付け操作をリッド２３の背面側で行うことができ、操作ユニット５０および作動ユニット５１のリッド２３への取付けを容易とすることができる。
【００５１】
また操作ノブ３０は、シリンダ錠２９の解錠操作に応じて手動操作が許容されるようにしてケース部材５２に配設されており、ケース部材５２にベース部材５３を係合、連結して操作ユニット５０に作動ユニット５１を組付けるのに応じてレバー５４に係合可能な係合部７７が、操作ノブ３０に設けられているので、ケース部材５２へのベース部材５３の係合、連結に応じて操作ノブ３０をレバー５４に係合、連結することができ、操作ユニット５０および作動ユニット５１の相互組付けをより一層容易とすることができる。
【００５２】
以上、本発明の実施例を説明したが、本発明は上記実施例に限定されるものではなく、特許請求の範囲に記載された本発明を逸脱することなく種々の設計変更を行うことが可能である。
【００５３】
たとえば上記実施例では、ロック機構２６およびロック切換操作機構２７が相互に離隔した位置でリッド２３に配設されたグローブボックス装置について説明したが、作動ユニット５１がボックス本体２２側のストライカ３２に係合し得るラッチ３３を含むように構成されるものであってもよい。
【００５４】
【発明の効果】
以上のように請求項１記載の発明によれば、操作ユニットおよび作動ユニットのリッドへの取付けを容易とすることができる。
【００５５】
また請求項２記載の発明によれば、操作ユニットおよび作動ユニットの相互組付けをより一層容易とすることができる。
【図面の簡単な説明】
【図１】グローブボックスの正面図である。
【図２】ロック機構をリッドの背面側から見た図である。
【図３】図２の３−３線断面図である。
【図４】図２の４−４線断面図である。
【図５】図２の５−５線断面図である。
【図６】シリンダ錠の解錠状態でのロック切換操作機構をリッドの正面側から見た図である。
【図７】図６の７矢視図である。
【図８】図７の８矢視図である。
【図９】図６の９−９線断面図である。
【図１０】図６の１０−１０線断面図である。
【図１１】操作ユニットおよび作動ユニットを相互に組付ける前の状態を図６の１１−１１線に沿って示す断面図である。
【図１２】操作ユニットおよび作動ユニットを相互に組付ける前の図９に対応した断面図である。
【符号の説明】
２２・・・ボックス本体
２３・・・リッド
３０・・・操作部材としての操作ノブ
５０・・・操作ユニット
５１・・・作動ユニット
５２・・・ケース部材
５３・・・ベース部材
５４・・・作動部材としてのレバー
６９・・・取付け孔
７７・・・係合部
【図１】
2004238807.tif 000003
【図２】
2004238807.tif 000004
【図３】
2004238807.tif 000005
【図４】
2004238807.tif 000006
【図５】
2004238807.tif 000007
【図６】
2004238807.tif 000008
【図７】
2004238807.tif 000009
【図８】
2004238807.tif 000010
【図９】
2004238807.tif 000011
【図１０】
2004238807.tif 000012
【図１１】
2004238807.tif 000013
【図１２】
2004238807.tif 000014